【手続補正書】
【提出日】平成20年2月18日(2008.2.18)
【手続補正１】
【補正対象書類名】明細書
【補正対象項目名】特許請求の範囲
【補正方法】変更
【補正の内容】
【特許請求の範囲】
【請求項１】
ベストエフォートキャリアまたは全サービスキャリアのいずれかに同調するようになっているターミナルを使って無線通信する方法において、
（ａ）前記ターミナルをベストエフォートキャリアに同調させる工程と、
（ｂ）前記ターミナルを使ってベストエフォートキャリアでパケットデータ通信を設定する工程と、
（ｃ）着信全サービス通信信号をチェックするために限られた時間にわたって前記ターミナルを全サービスキャリアに周期的に同調させる工程と、
を備えた、無線通信方法。
【請求項２】
（ｄ）前記工程（ｃ）で着信全サービス通信信号が検出されると、全サービスキャリアにおける全サービス通信を設定する工程と、
（ｅ）全サービス通信が終了した時に、前記ターミナルをベストエフォートキャリアに再び同調させる工程と、
を更に備えた、請求項１記載の方法。
【請求項３】
前記工程（ｄ）が、
（ｆ）パケットデータ通信をベストエフォートキャリアから全サービスキャリアに切り替えるよう、前記ターミナルからパケットハンドオーバーリクエストを送る工程と、
（ｇ）ベストエフォートキャリアから全サービスキャリアにパケットデータ通信を渡す工程と、
（ｈ）全サービスキャリアにおけるパケットデータ通信も維持しながら、全サービスキャリアにおける全サービス通信を設定する工程と、
を更に含む、請求項２記載の方法。
【請求項４】
（ｉ）全サービス通信が終了した時に、前記ターミナルをベストエフォートキャリアに再び同調させる工程と、
（ｊ）パケットデータ通信を全サービスキャリアからベストエフォートキャリアに切り替えるよう、前記ターミナルからパケットハンドオーバーリクエストを送る工程と、
（ｋ）全サービスキャリアからベストエフォートキャリアにパケットデータ通信を渡す工程と、
を更に備えた、請求項３記載の方法。
【請求項５】
前記ターミナルがオプションとして全サービス通信を設定するようになっている、請求項４記載の方法。
【請求項６】
全サービス通信が、
（ａ）音声通信と、
（ｂ）ＳＭＳ通信と、
（ｃ）放送情報通信と、
のうちの少なくとも１つを含む、請求項１記載の方法。
【請求項７】
全サービスキャリアが１ｘＲＴＴキャリアを含む、請求項１記載の方法。
【請求項８】
ベストエフォートキャリアがＨＤＲキャリアを含む、請求項１記載の方法。
【請求項９】
ベストエフォートキャリアまたは全サービスキャリアのいずれかに同調するようになっているターミナルを使って無線通信する方法において、
（ａ）前記ターミナルをベストエフォートキャリアに同調させる工程と、
（ｂ）前記ターミナルを使ってベストエフォートキャリアでパケットデータ通信を設定する工程と、
（ｃ）パケットデータ通信が進行中である間、前記ターミナルを全サービスキャリアに同調させる工程と、
（ｄ）全サービスキャリアで全サービス通信を設定する工程と、
を備えた、無線通信方法。
【請求項１０】
（ｅ）パケットデータ通信を完了させるために、全サービス通信を終了した時にターミナルをベストエフォートキャリアに再び同調させる工程を更に備えた、請求項９記載の方法。
【請求項１１】
前記工程（ｄ）が、
（ｆ）パケットデータ通信をベストエフォートキャリアから全サービスキャリアに切り替えるよう、前記ターミナルからパケットハンドオーバーリクエストを送る工程と、
（ｇ）ベストエフォートキャリアから前記サービスキャリアにパケットデータ通信を渡す工程と、
（ｈ）全サービスキャリアにおけるパケットデータ通信も維持しながら、全サービスキャリアにおける全サービス通信を設定する工程と、
を更に含む、請求項９記載の方法。
【請求項１２】
（ｉ）全サービス通信が終了した時に、前記ターミナルをベストエフォートキャリアに再び同調させる工程と、
（ｊ）パケットデータ通信を全サービスキャリアからベストエフォートキャリアに切り替えるよう、前記ターミナルからパケットハンドオーバーリクエストを送る工程と、
（ｋ）全サービスキャリアからベストエフォートキャリアにパケットデータ通信を渡す工程と、
を更に備えた、請求項１１記載の方法。
【請求項１３】
全サービス通信が、
（ａ）音声通信と、
（ｂ）ＳＭＳ通信と、
（ｃ）放送情報通信と、
のうちの少なくとも１つである、請求項９記載の方法。
【請求項１４】
全サービスキャリアが１ｘＲＴＴキャリアを含む、請求項９記載の方法。
【請求項１５】
ベストエフォートキャリアがＨＤＲキャリアを含む、請求項９記載の方法。
【請求項１６】
ベストエフォートキャリアまたは全サービスキャリアのいずれかに同調するようになっているターミナルを使って無線通信する方法において、
（ａ）ベストエフォートキャリアを周期的にスキャンする工程と、
（ｂ）受信機を全サービスキャリアに同調させる工程と、
（ｃ）前記工程（ｂ）で同調した後に、全サービスキャリアでのパケットデータ通信を設定する工程と、
（ｄ）前記ターミナルが一旦全サービスキャリアに同調した場合に、ベストエフォートキャリアを周期的にスキャンする工程と、
（ｅ）ベストエフォートキャリアが利用できる場合に、全ターミナルをベストエフォートキャリアに同調させる工程と、
（ｆ）ベストエフォートキャリアでのパケットデータ通信を設定する工程と、
を備えた、無線通信方法。
【請求項１７】
前記工程（ｅ）の前で全サービスキャリア上のパケットデータ通信を終了させる、請求項１６記載の方法。
【請求項１８】
前記工程（ｆ）が、
（ｇ）パケットデータ通信を全サービスキャリアから第２ベストエフォートキャリアに切り替えるよう、前記ターミナルからパケットハンドオーバーリクエストを含む工程と、
（ｈ）全サービスキャリアから第２ベストエフォートキャリアにパケットデータ通信を渡す工程と、
を更に含む、請求項１６記載の方法。
【請求項１９】
全サービスキャリアが１ｘＲＴＴキャリアを含み、ベストエフォートキャリアがＨＤＲキャリアを含む、請求項１６記載の方法。
【請求項２０】
ベストエフォートキャリアまたは全サービスキャリアに選択的に同調するようになっているトランシーバと、
ベストエフォートキャリア上でパケットデータ通信が行われている間、前記トランシーバを全サービスキャリアに周期的に同調させ、着信全サービス通信信号をチェックするようになっていると共に、着信全サービス通信信号が検出された時に、前記ターミナルを全サービスキャリアに同調させ、全サービスキャリアでの全サービス通信を設定するようになっているプロセッサと、
を備えた、無線通信用ターミナル。
【請求項２１】
ベストエフォートキャリアが利用できない時に、全サービスキャリアに同調し、ベストエフォートキャリアが利用できるようになるまで、ベストエフォートキャリアを周期的にスキャンするようになっており、ベストエフォートキャリアが利用できるようになった時に前記プロセッサがベストエフォートキャリアに同調するようになっている、請求項２０記載のターミナル。
【請求項２２】
ベストエフォートキャリアでパケットデータ通信が行なわれている間、前記プロセッサが更に全サービスキャリアに同調し、全サービスキャリアでの全サービス通信を設定するようになっている、請求項２０記載のターミナル。
【請求項２３】
パケットデータ通信をベストエフォートキャリアから全サービスキャリアに切り替え、また、パケットデータ通信を全サービスキャリアからベストエフォートキャリアに切り替えるよう、前記プロセッサがパケットハンドオーバーリクエストを開始するようになっている、請求項２０記載のターミナル。
【請求項２４】
全サービス通信が、
（ａ）音声通信と、
（ｂ）ＳＭＳ通信と、
（ｃ）放送情報通信と、
のうちの少なくとも１つである、請求項２０記載のターミナル。
【請求項２５】
全サービスキャリアが１ｘＲＴＴキャリアを含む、請求項２０記載のターミナル。
【請求項２６】
ベストエフォートキャリアがＨＤＲキャリアを含む、請求項２０記載のターミナル。
【請求項２７】
全サービスキャリアがリアルタイムサービスおよび非リアルタイムサービスをサポートし、ベストエフォートキャリアが非リアルタイムサービスしかサポートしない、請求項２０記載のターミナル。
【請求項２８】
全サービスキャリアが回路交換サービスを行うよう最適にされており、ベストエフォートキャリアがベストエフォートパケットデータサービスを行うよう最適にされている、請求項２７記載のターミナル。
【請求項２９】
ベストエフォートキャリアにおける制御およびデータチャンネルが時間多重化されている、請求項２８記載のターミナル。
【請求項３０】
全サービス通信信号およびパケットデータ通信信号を搬送するようになっている全サービスキャリアと、
パケットデータ通信信号を搬送するようになっているベストエフォートキャリアと、
ベストエフォートキャリア上でパケットデータ通信が行われている間、前記トランシーバを全サービスキャリアに周期的に同調させ、着信全サービス通信信号をチェックするようになっていると共に、着信全サービス通信信号が検出された時に、前記ターミナルを全サービスキャリアに同調させ、全サービスキャリアでの全サービス通信を設定するようになっている複数のターミナルと、
を備えた、無線通信ネットワーク。
【請求項３１】
パケットデータ通信をベストエフォートキャリアから全サービスキャリアに切り替え、また、パケットデータ通信を全サービスキャリアからベストエフォートキャリアに切り替えるよう、各ターミナルがパケットハンドオーバーリクエストを開始するようになっている、請求項３０記載のネットワーク。
【請求項３２】
各ハンドオーバーリクエストがハンドオーバーのターゲットである、全サービスキャリアまたはベストエフォートキャリアに関連するターゲットＢＳＣに関する情報を含む、請求項３１記載のネットワーク。
【請求項３３】
全サービスキャリアがリアルタイムサービスおよび非リアルタイムサービスをサポートし、ベストエフォートキャリアが非リアルタイムサービスしかサポートしない、請求項３０記載のネットワーク。
【請求項３４】
全サービスキャリアが回路交換サービスを行うよう最適にされており、ベストエフォートキャリアがベストエフォートパケットデータサービスを行うよう最適にされている、請求項３３記載のネットワーク。
【請求項３５】
ベストエフォートキャリアにおける制御およびデータチャンネルが時間多重化されている、請求項３４記載のネットワーク。
【請求項３６】
全サービスキャリアが１ｘＲＴＴキャリアである、請求項３０記載のネットワーク。
【請求項３７】
ベストエフォートキャリアがＨＤＲキャリアである、請求項３０記載のネットワーク。